(57)【要約】【課題】栽培部を敷設するために格別な部材を作製する必要がなく、施工も容易で、通気性や排水性にも優れ植物の生育に適した環境を形成でき、栽培部を連続して敷設でき植栽されない部分が屋根上に生じることもなく見栄えもよい緑化屋根を得る。【解決手段】折板屋根材１と、この折板屋根材１の上部を覆うメッシュ材２と、このメッシュ材２の上に敷設される緩衝マット３と、この緩衝マット３の上に固定される天然芝を敷き詰めた緑化用プレート４とで構成し、前記メッシュ材２と緩衝マット３とは上方から挿入するボルト５で折板屋根材１の山形部１ａの頂部１ｃに一体に固定され、前記緑化用プレート４は上方から突き刺すフック７でメッシュ材２と緩衝マット３とに固定される。【選択図】        図１
2006002525.tif 000002
【特許請求の範囲】
【請求項１】
折板屋根材と、この折板屋根材の上部を覆うメッシュ材と、このメッシュ材の上に敷設される緩衝マットと、この緩衝マットの上に固定され天然芝が敷き詰められる、保水性を有し脚部を備えた緑化用プレートとで構成することを特徴とした緑化屋根。
【請求項２】
前記メッシュ材と緩衝マットとは上方から挿入するボルトで折板屋根材の山形部の頂部に一体に固定されることを特徴とする請求項１記載の緑化屋根。
【請求項３】
前記緑化用プレートは上方から突き刺すフックでメッシュ材と緩衝マットとに固定されることを特徴とする請求項１または請求項２に記載の緑化屋根。
【請求項４】
メッシュ材と折板屋根材の底部との間に谷状の空隙を確保することを特徴とする請求項１から請求項３のいずれかに記載の緑化屋根。
【発明の詳細な説明】
【技術分野】
【０００１】
本発明は、屋根、特に工場の折板屋根などの緑化に関するものである。
【背景技術】
【０００２】
屋根上は日当たりや風通しなど、植物などの栽培に適した条件がそろっていることから、従来、屋根上を緑化することが行われている（例えば特許文献１参照）。
【０００３】
特許文献１に記載の技術は、山形部が所定間隔をおいて連続形成された折板屋根と、溝板支持部の幅方向両側に取付脚部が形成され、前記折板屋根の山形部頂部箇所に装着する支持具と、底面部の幅方向両側に立ち上がり側部が形成されてなる溝板と、該溝板を前記溝板支持部の上に固定する固定部材とからなり、前記山形部に固定された複数の支持具間に溝板が前記山形部の長手方向に直交するようにして配置され、かつ、前記固定部材にて固定され、それぞれの溝板には栽培部が敷設されてなるものである。
【特許文献１】特開２００３−３２１９０６号公報
【発明の開示】
【発明が解決しようとする課題】
【０００４】
前記従来技術は、溝板の上に栽培部が敷設されるが、溝板は両側に立ち上がり側部が形成されるのみならず、被覆シートが貼着されて樹脂コーティング状態になっている。このため、格別の形状の溝板を作製する必要があるだけでなく、このような溝板では十分な通気性や排水性を確保することが困難で、植物の栽培に適した環境とはいい難いものがある。
【０００５】
また、溝板を屋根に取付るには別途格別な支持具と固定部材とを必要とし、部品点数が多くなり、コスト高となるだけでなく、施工法としても、折板屋根の山形部頂部に支持具をまず固定し、この支持具間に溝板を載置し、次に溝板の両側の立ち上がり側部をまたぐようにして固定部材で溝板を相互に連結するものであるため、施工に手間を要して施工性がよくない。
【０００６】
さらに溝板間にはその連結部において固定部材が上方に突出するため、この箇所には栽培部を敷設することができず、植栽されない部分が屋根上に形成されてしまう。また、栽培部の形状が溝板の形状によって規制されることにもなる。
【０００７】
本発明の目的は前記従来例の不都合を解消し、栽培部を敷設するために格別な部材を作製する必要がなく、施工も容易で、通気性や排水性にも優れ植物の生育に適した環境を形成でき、栽培部を連続して敷設でき植栽されない部分が屋根上に生じることもなく見栄えもよい緑化屋根を提供することにある。
【課題を解決するための手段】
【０００８】
本発明は前記目的を達成するものとして、請求項１記載の発明は、折板屋根材と、この折板屋根材の上部を覆うメッシュ材と、このメッシュ材の上に敷設される緩衝マットと、この緩衝マットの上に固定され天然芝が敷き詰められる、保水性を有し脚部を備えた緑化用プレートとで構成することを要旨とするものである。
【０００９】
請求項１記載の本発明によれば、格別の固定具などを使用せずに折板屋根材の上にメッシュ材と緩衝マットと緑化用プレートとを順次積層するだけの構造で緑化屋根の形成ができ、緑化用プレートが保水性を備えることに加えてその下方に敷設する部材にメッシュ材を採用することで通気性と排水性を確保でき、植物の生育に適した環境を形成でき、保水性を備えた緑化プレートにより屋根材に対してはこれを冷却することができる。また、メッシュ材、緩衝マットおよび緑化用プレートは、形状や大きさについて特に制約されることはない。
【００１０】
請求項２記載の発明は、前記メッシュ材と緩衝マットとは上方から挿入するボルトで折板屋根材の山形部の頂部に一体に固定されることを要旨とするものである。
【００１１】
請求項２記載の本発明によれば、メッシュ材と緩衝マットは、上方からボルトを差し込むだけで、折板屋根材の山形部の頂部に同時に固定でき、取付けが簡単であり、固定のための部材は市販のボルトの使用が可能であり、専用の固定部材を必要としないから、コストも低減できる。
【００１２】
また、メッシュ材や緩衝マットは折板屋根材の上に全面にわたって敷設されるから、形状や大きさが既設されることなく、取付位置も限定されず、施工性がよい。
【００１３】
請求項３記載の発明は、前記緑化用プレートは上方から突き刺すフックでメッシュ材と緩衝マットとに固定されることを要旨とするものである。
【００１４】
請求項３記載の本発明によれば、緑化用プレートは、上方からフックを突き刺すだけでメッシュ材と緩衝マットに固定できるから、取付けが容易であり、緑化用プレートは緩衝マットの上に全面にわたって敷設されるから、形状や大きさが既設されることなく、取付位置も限定されず、施工性がよいだけでなく、屋根の全面を隙間なく緑化でき、見栄えのよいものにできる。
【００１５】
請求項４記載の発明は、メッシュ材と折板屋根材の底部との間に谷状の空隙を確保することを要旨とするものである。
【００１６】
請求項４記載の本発明によれば、折板屋根材の谷部による空隙が形成されるから、雨水は緑化用プレート、緩衝マットおよびメッシュ材を透過してこの空隙に流下する。よって通気性とともに排水機能が確保されるだけでなく、保水性を備えた緑化プレートの下方に空隙が形成されるから、この空隙内の空気も冷却されて折板屋根材を効率よく冷却することができ、断熱効果が得られる。
【発明の効果】
【００１７】
以上述べたように本発明の緑化屋根は、栽培部を敷設するために格別な部材を作製する必要がなく、市販の材料ですみ、材料を積層して上方からボルトなどで固定するだけでよいから、施工も容易であり、通気性や排水性にも優れ植物の生育に適した環境を形成でき、栽培部を連続して敷設でき植栽されない部分が屋根上に生じることもなく見栄えもよい。
【００１８】
また、折板屋根材の谷部が通気性を有する空隙となって、上方の保水性を有する緑化プレートに保水された雨水による冷気でこの空隙内の空気が冷却されて折板屋根材を冷却でき、夏季には屋内の温度を効率よく低下させることができる。
【発明を実施するための最良の形態】
【００１９】
以下、図面について本発明の実施形態を詳細に説明する。図１は本発明の緑化屋根の実施形態を示す縦断正面図で、本発明の緑化屋根は、折板屋根材１と、この折板屋根材１の上部を覆うメッシュ材２と、このメッシュ材２の上に敷設される緩衝マット３と、この緩衝マット３の上に固定される天然芝を敷き詰めた緑化用プレート４とで構成する。
【００２０】
折板屋根材１は、図３に示すように水平で平坦な頂部１ｃを有する山形部１ａと、山形部１ａ間の底部１ｂとの連続で形成される。この折板屋根材１を緑化するには、図４に示すように折板屋根材１の山形部１ａの頂部１ｃの上にメッシュ材２として例えば亜鉛メッキメッシュ鋼板を敷設する。メッシュ材２の線材の直径は例えば４ｍｍ程度のものとし、平面の大きさは例えば、５０×５０ｃｍとする。
【００２１】
次いで図５に示すようにメッシュ材２の上に緩衝マット３を敷設する。この緩衝マット３は例えば厚さ１０ｍｍとする。そして、緩衝マット３の上からボルト５を緩衝マット３およびメッシュ材２を貫通させるようにして挿入し、折板屋根材１の頂部１ｃに固定する。図中６は座金を示す。
【００２２】
さらに図６に示すようにこの上に緑化用プレート４を敷き詰める。この緑化用プレート４は、例えば平面が正方形であり、この複数個を縦横に連続して隙間なく敷設し、４枚の緑化用プレート４の角部がつき合わさる箇所でステンレス製のフック７を上方から突き刺し、先端を下方のメッシュ材２に到達させてこのフック７で緑化用プレート４をメッシュ材２、緩衝マット３に固定する。図中８は亜鉛メッキ製の丸座金を示す。
【００２３】
前記ボルト５、フック７、座金６および丸座金８は市販のものの使用が可能である。
【００２４】
また、前記緑化用プレート４は、例えば図７に示すようにプレート板表面に天然芝９を植え付けることができるもので、しかも、プレート板表面から内部に天然芝９の根をはることができ、植え付けた天然芝９が風や雨などによってプレート板表面から簡単に剥がれることがない特徴を備えている。
【００２５】
さらに、緑化用プレート板４は、主成分の天然ゼオライトが天然芝９の養分となり又保水機能も有するので、緑化用プレート板の表面に植え付けられた天然芝９はその養分及び水分を緑化用プレート板から吸収でき、このため、天然芝９を育てるための肥料を散布する必要もなく、また、散水した場合にはその水分は適宜吸収されて保水されて天然芝９の水分補給として利用される特徴を備えている。
【００２６】
このような特徴を有する緑化用プレート板４は、天然ゼオライトを主成分とし、これに石膏、セメント及び水を加えて、下面側に少し突出する脚部を備えたプレート状にプレスで加圧して固めて形成して、３日ほど養生して得られる。
【００２７】
緑化用プレート板４の主成分である天然ゼオライトは、結晶性の多孔質アルミノケイ酸塩の総称として知られている。ゼオライトは天然ゼオライトと合成ゼオライトに大別されるが、この天然ゼオライトは天然に産するが合成できないものである。天然ゼオライトは多孔質であるために、細孔内に水分を保水できる特徴を備えている。また、天然であるために、天然芝９の養分としても機能する。
【００２８】
一方、モルデナイトは斜方晶系の高シリカ天然ゼオライトであり、天然ゼオライトに含まれる。モルデナイトの性状は、プリズマティック結晶、垂直方向にすじ状、微細、普通針状から微細繊維、しばしば綿状集合体、また緻密、磁器状である。モルデナイトは、ガラスの水和プロダクト及び堆積中の自生鉱床として、火成岩中の脈及び空洞中に産出する。
【００２９】
使用するモルデナイトの組成は次の通りである。
けい酸全量（SiO2）（シリカ）:66.57%
酸化アルミニウム（Al2O3）  :12.62%
酸化鉄（Fe2O3）            :1.03%
苦土全量（MgO）            :0.54%
石灰全量（CaO）            :2.55%
曹達全量（Na2O）           :1.52%
加里全量（K2O）            :2.17%
リン酸全量（P2O5）         :0.02%
【００３０】
また、使用するモルデナイトの品質と物性は次の通りである。
pH（ペーハー）          6.0〜6.5
塩基置換容量(CEC)      120〜180meq/100g
吸水率                  25%
嵩比重                  1.0
比重                    2.0
【００３１】
緑化用プレート板４の成分構成は、主成分の天然ゼオライトにモルデナイトを使用し、セメントに高炉セメントを使用し、後述の３００×３００×４０（mm）の基盤では、重さ４．８ｋｇであるが、直径３〜５mmのモルデナイトを３．８ｋｇ、石膏を２００ｇ、高炉セメントを１ｋｇ、水１．２ｋｇの割合になっている。水の割合は圧力や製造の時期によって若干の変動があり、暑い季節は少し多めになり、寒い季節は少し少なめになる。
【００３２】
また、上記の成分構成からなる緑化用プレート板４は、次のようにして製造される。
直径３〜５mmのモルデナイトに石膏を加えて攪拌機に入れて攪拌混合し、さらに高炉セメントを入れて混合し、最後に水を入れて混合する。次にこのようにして混合されたものを型に流し込み、例えば７トンの圧力でプレスをかける。型にいれたまま３日間程養生させる。その後、型から取り出して、緑化用プレート板１が得られる。
【００３３】
緑化用プレート板４は、図８〜図１０に示すように、厚みのある正方形のプレート板状に形成される。緑化用プレート板１のサイズとしては、例えば、３００×３００×３０（mm）、３００×３００×４０（mm）、４５０×４５０×３０（mm）、４５０×４５０×４０（mm）である。
【００３４】
緑化用プレート板４の下面側には少し突出する例えば円形の脚部４ａが突出形成されている。この実施の形態では、脚部４ａは中央と周囲の角側の４箇所の合計５箇所に形成されている。各円形の脚部４ａの直径は例えば８５mm、各脚部４ａの突出量は例えば１０mmである。
【００３５】
そして、この緑化用プレート４の上に天然芝９を敷き詰めて植え付ける。この状態で、天然芝９の隙間なく植え付けられ、折板屋根材１の上面の全面に渉って植栽される。
【００３６】
図２は軒先部の処理構造を示し、亜鉛メッキ鋼板によるＺ型のアングル材１０が緑化用プレート４の端面に取り付けられ、アングル材１０はその下部が緩衝マット３とメッシュ材２を貫通してボルトで折板屋根材１に固定される。
【００３７】
以上のようにして形成された緑化屋根は、折板屋根材１の谷部１ｄに空隙が確保され、上方の緑化用プレート４に対して通気性と排水性とが確保され、天然芝９の生育に適した環境が提供される。
【００３８】
また、折板屋根材１の谷部１ｄは、空隙となるから緑化用プレート４で保水される雨水による冷気がこの空隙内の空気を冷却し、その結果、折板屋根材１が冷却される。この場合、空隙内は上方のメッシュ材２によって通気性が確保される状態にあるから、冷却作用は良好になされる。よって、例えば工場の屋根などに折板屋根材１を使用した場合に、特に夏季には屋根を冷却でき、熱さましすることができて、屋内の温度も下げることができる。
【図面の簡単な説明】
【００３９】
【図１】本発明の緑化屋根の実施形態を示す縦断正面図である。
【図２】本発明の緑化屋根の実施形態を示す軒先部の縦断正面図である。
【図３】本発明の緑化屋根の実施形態を示す折板屋根材の斜視図である。
【図４】本発明の緑化屋根の実施形態を示すメッシュ材を敷設した施工状態の斜視図である。
【図５】本発明の緑化屋根の実施形態を示す緩衝マットと緑化用プレートを敷設した施工状態の斜視図である。
【図６】本発明の緑化屋根の実施形態を示す緑化用プレートの固定状態を示す斜視図である。
【図７】緑化用プレートに天然芝を植え付けた状態の正面図である。
【図８】緑化用プレートの正面図である。
【図９】緑化用プレートの平面図である。
【図１０】緑化用プレートの底面図である。
【符号の説明】
【００４０】
１  折板屋根材                  １ａ  山形部
１ｂ  底部                      １ｃ  頂部
１ｄ  谷部                      ２  メッシュ材
３  緩衝マット                  ４  緑化用プレート
４ａ  脚部                      ５  ボルト
６  座金                        ７  フック
８  丸座金                      ９  天然芝
１０  アングル材
【図１】
2006002525.tif 000003
【図２】
2006002525.tif 000004
【図３】
2006002525.tif 000005
【図４】
2006002525.tif 000006
【図５】
2006002525.tif 000007
【図６】
2006002525.tif 000008
【図７】
2006002525.tif 000009
【図８】
2006002525.tif 000010
【図９】
2006002525.tif 000011
【図１０】
2006002525.tif 000012